(57)【要約】【課題】本発明は、輪状ステータの磁極の外周に設ける輪状絶縁部材の突出部の外周を円状とし、ステータ巻線の高速整列巻きを達成することを目的とする。【解決手段】本発明によるレゾルバステータ構造は、輪状ステータ(1)の磁極(2)の外周に形成する輪状絶縁部材(3)の突出部(3a)の断面の外周面(3A)を角部(3b)のない円状とすることにより、自動巻線機による高速巻回時における張力を一定とし、高速整列巻きを行うことができる構成である。【選択図】図１
2010183715.tif 000002
【特許請求の範囲】
【請求項１】
輪状ステータ(1)の内周面(1a)又は外周面(1b)から所定角度間隔毎に突出して形成された複数の磁極(2)と、前記各磁極(2)の外周を覆うように設けられ予め成形された一対の輪状絶縁部材(3)の突出部(3a) 又は一体成形された輪状絶縁部材(3)の突出部(3a)と、前記輪状絶縁部材(3)の突出部(3a)を介して前記各磁極(2)に巻回されたステータ巻線(4)と、を備えたレゾルバステータ構造において、
前記各磁極(2)における前記輪状絶縁部材(3)の突出部(3a)の外周形状は、断面形状でみて角部(3b)を有しない円状に形成されていることを特徴とするレゾルバステータ構造。
【請求項２】
前記外周形状は、真円(3c)よりなることを特徴とする請求項１記載のレゾルバステータ構造。
【請求項３】
前記外周形状は、一対の直線部(3aA)と一対の円弧部(3aB)を有する長円形よりなることを特徴とする請求項１記載のレゾルバステータ構造。
【請求項４】
前記磁極(2)は、断面形状で正四角形よりなることを特徴とする請求項１又は２記載のレゾルバステータ構造。
【請求項５】
前記磁極(2)は、断面形状で長方形よりなることを特徴とする請求項１又は３記載のレゾルバステータ構造。
【請求項６】
前記磁極(2)は、その断面形状で外周に複数の段部(2b)が形成されていることを特徴とする請求項１ないし５の何れかに記載のレゾルバステータ構造。
【発明の詳細な説明】
【技術分野】
【０００１】
本発明は、レゾルバステータ構造に関し、特に、磁極に設ける輪状絶縁部材の断面形状でみて角部を有しない円状としてステータ巻線を巻回し、自動巻線時のステータ巻線を一定の張力で巻くことにより巻き乱れを防止するための新規な改良に関する。
【背景技術】
【０００２】
従来、用いられていたこの種のレゾルバステータ構造としては、例えば、後述の特許文献１に示されている構成を図７及び図８で示すことができる。
すなわち、図７において符号１で示されるものは輪状ステータであり、この輪状ステータ１の内周面１ａからは、所定角度間隔毎に内方へ突出する複数の磁極２が形成されている。
【０００３】
前記輪状ステータ１の両端面には、予め成形された一対の輪状絶縁部材３又はインサート成形により一体に前記両端面に形成された前記輪状絶縁部材３が設けられている。
【０００４】
前記各磁極２の外周には、前記輪状絶縁部材３の各突出部３ａ（前記各磁極２に対応して前記輪状絶縁部材３と一体に所定角度間隔毎に形成されている）が、図８に示されるように、この磁極２を覆う状態で設けられている。
【０００５】
前述のように、各磁極２を輪状絶縁部材３の各突出部３ａで覆った後に、ステータ巻線４が各磁極２の外周に巻回するように巻付けられている。
尚、前述の従来構成においては、輪状ステータ１の内周面１ａに磁極２が設けられたインナロータ型のステータ構造について述べたが、輪状ステータ１の外周面に前記各磁極２を設けたアウタロータ型のステータ構造についても、図８及び図９と同様の構造が採用されている。
【先行技術文献】
【特許文献】
【０００６】
【特許文献１】米国特許第６，０２８，３８３号明細書
【発明の概要】
【発明が解決しようとする課題】
【０００７】
従来のレゾルバステータ構造は、以上のように構成されているため、次のような課題が存在していた。
すなわち、磁極２の断面形状が四角形であるため、この磁極２の外周に形成した輪状絶縁部材３の外周面も四角形となり、この断面四角形の輪状絶縁部材３の外周面にステータ巻線４を巻回するため、自動巻線機のニードルを介して高速巻付けを行うと、巻線時にマグネットワイヤの張力が一定とならず、整列巻きが乱れやすい構造となっていた。
また、巻線の乱れにより、レゾルバとしての検出精度の劣化となり、検出精度の向上を得ることは困難であった。
【課題を解決するための手段】
【０００８】
本発明によるレゾルバステータ構造は、輪状ステータの内周面又は外周面から所定角度間隔毎に突出して形成された複数の磁極と、前記各磁極の外周を覆うように設けられ予め
成形された一対の輪状絶縁部材の突出部又は一体成形された輪状絶縁部材の突出部と、前記輪状絶縁部材の突出部を介して前記各磁極に巻回されたステータ巻線と、を備えたレゾルバステータ構造において、前記各磁極における前記輪状絶縁部材の突出部の外周形状は、断面形状でみて角部を有しない円状に形成されている構成であり、また、前記外周形状は、真円よりなる構成であり、また、前記外周形状は、一対の直線部と一対の円弧部を有する長円形よりなる構成であり、また、前記磁極は、断面形状で正四角形よりなる構成であり、また、前記磁極は、断面形状で長方形よりなる構成であり、また、前記磁極は、その断面形状で外周に複数の段部が形成されている構成である。
【発明の効果】
【０００９】
本発明によるレゾルバステータ構造は、以上のように構成されているため、次のような効果を得ることができる。
すなわち、輪状ステータの内周面又は外周面から所定角度間隔毎に突出して形成された複数の磁極と、前記各磁極の外周を覆うように設けられ予め成形された一対の輪状絶縁部材の突出部又は一体成形された輪状絶縁部材の突出部と、前記輪状絶縁部材の突出部を介して前記各磁極に巻回されたステータ巻線と、を備えたレゾルバステータ構造において、
前記各磁極における前記輪状絶縁部材の突出部の外周形状は、断面形状でみて角部を有しない円状に形成されていることにより、巻線時のマグネットワイヤの張力が一定となり、巻き乱れがなく、整列巻きが確実となる。
また、前記外周形状は、真円よりなることにより、角部がなく、自動巻線機による高速巻線が容易となる。
前記外周形状は、一対の直線部と一対の円弧部を有する長円形よりなることにより、前述と同様に自動巻線機による高速巻線が容易となる。
また、前記磁極は、断面形状で正四角形よりなるが、輪状絶縁部材の外周は円状とすることができる。
また、前記磁極は、断面形状で長方形よりなるが、前述と同様に輪状絶縁部材の外周は円状とすることができる。
また、前記磁極は、その断面形状で外周に複数の段部が形成されているため、突出部の円周位置における肉厚を極力薄くでき、磁気効率の低下を防止することができる。
【図面の簡単な説明】
【００１０】
【図１】本発明によるレゾルバステータ構造の磁極を示す断面図である。
【図２】図１の他の形態を示す断面図である。
【図３】図２の他の形態を示す断面図である。
【図４】図１の他の形態を示す断面図である。
【図５】図２の他の形態を示す断面図である。
【図６】図３の他の形態を示す断面図である。
【図７】従来及び本発明におけるレゾルバステータ構造の一部を示す平面図である。
【図８】図７の磁極のＡ−Ａ線による断面図である。
【発明を実施するための形態】
【００１１】
本発明は、磁極に設ける輪状絶縁部材の断面形状でみて角部を有しない円状としてステータ巻線を巻回し、自動巻線時のステータ巻線を一定の張力で巻くことにより巻き乱れを防止するようにしたレゾルバステータ構造を提供することを目的とする。
【実施例】
【００１２】
以下、図面と共に本発明によるレゾルバステータ構造の好適な実施の形態について説明する。
尚、従来例と同一又は同等部分は、同一符号を用いて説明すると共に、図７の輪状ステータの構造は、本発明と同様であるので、図７の構成を本発明に援用し、その説明は省略する。
【００１３】
図１において符号１で示されるものは輪状ステータの一部であり、この輪状ステータ１の内周面１ａから内方へ向けて突出した磁極２の断面形状は正四角形である。
前記磁極２の外周に一体成形又は予め成形された二体よりなる輪状絶縁部材３の突出部３ａの外周形状は、断面でみて従来の図８のように、角部３ｂを有することのない円状で真円３ｃで形成されている。
従って、図１の輪状絶縁部材３の突出部３ａの外周面３Ａには、図７のようにステータ巻線４が高速の自動巻線機（図示せず）によって巻回されている。
【００１４】
また、図２においては、前記磁極２が断面でみて長方形であるため、輪状絶縁部材３の突出部３ａの形状が、直線部３ａＡと円弧部３ａＢとからなる長円３ｄすなわち競技場のトラックの形状で形成されている。
【００１５】
図３においては、図２の構成を横向きとした構成である。
また、図４は、図１の磁極２の各磁極片２ａを段部２ｂが形成されるように積層させて輪状絶縁部材３の一体成形時の付着性を向上すると共に肉厚をほぼ一定として磁気効率の低下を防止させた構成である。
また、図５及び図６も前述と同様に段部２ｂを形成しているが、その説明は省略する。尚、前述の構成は、インナロータ型において述べたが、磁極２を輪状ステータ１の外周面１ｂから外方に突出するアウタロータ型についても、本発明を適用できる。
【産業上の利用分野】
【００１６】
本発明によるレゾルバステータ構造は、レゾルバ以外の同期モータ等にも適用が可能である。
【符号の説明】
【００１７】
１    輪状ステータ
１ａ    内周面
１ｂ    外周面
２    磁極
２ｂ    段部
３    輪状絶縁部材
３ａ    突出部
３ｂ    角部
３ｃ    真円
３ｄ    長円
３ａＡ    直線部
３ａＢ    円弧部
３Ａ    外周面
４    ステータ巻線
【図１】
2010183715.tif 000003
【図２】
2010183715.tif 000004
【図３】
2010183715.tif 000005
【図４】
2010183715.tif 000006
【図５】
2010183715.tif 000007
【図６】
2010183715.tif 000008
【図７】
2010183715.tif 000009
【図８】
2010183715.tif 000010